(57)【要約】【課題】端末装置においてパケット通信を行うことができるようにした接続制御装置、接続制御システム、接続制御プログラム、及び接続制御方法を提供すること。また、端末装置において有効なＡＰＮ情報を取得できるようにした接続制御装置、接続制御システム、接続制御プログラム、及び接続制御方法を提供すること。【解決手段】端末装置から送信された接続要求を受信し、受信した前記接続要求にネットワークへの接続先を指定したネットワーク接続先情報が含まれていないとき又は有効ではない前記ネットワーク接続先情報が含まれているとき、有効な前記ネットワーク接続先情報を前記端末装置へ送信するよう制御するプロセッサを備える接続制御装置。【選択図】図５
2016189538.tif 000002
【特許請求の範囲】
【請求項１】
端末装置から送信された接続要求を受信し、受信した前記接続要求にネットワークへの接続先を指定したネットワーク接続先情報が含まれていないとき又は有効ではない前記ネットワーク接続先情報が含まれているとき、有効な前記ネットワーク接続先情報を前記端末装置へ送信するよう制御するプロセッサ
を備えることを特徴とする接続制御装置。
【請求項２】
前記プロセッサは、前記有効なネットワーク接続先情報を送信する情報通知装置への接続情報に基づいて、前記端末装置から前記情報通知装置への接続経路を設定することを特徴とする請求項１記載の接続制御装置。
【請求項３】
前記プロセッサは、前記有効なネットワーク接続先情報を送信する情報通知装置への接続情報を、前記端末装置から送信されたアクセス要求を前記ネットワークへ転送する転送制御装置へ送信することを特徴とする請求項１記載の接続制御装置。
【請求項４】
前記接続情報は、前記情報通知装置に接続されたゲートウェイ装置のアドレス情報であることを特徴とする請求項３記載の接続制御装置。
【請求項５】
前記接続情報は、前記情報通知装置のアドレス情報であることを特徴とする請求項３記載の接続制御装置。
【請求項６】
前記ネットワークは第１及び第２のネットワークを含み、
前記プロセッサは、前記端末装置から受信したＳＩＭ（Subscriber Identity Module）情報に基づいて、前記第１のネットワークへの前記有効なネットワーク接続先情報を表す第１のネットワーク接続先情報又は前記第２のネットワークへの前記有効なネットワーク接続先情報を表す第２のネットワーク接続先情報を前記端末装置へ送信するよう制御することを特徴とする請求項１記載の接続制御装置。
【請求項７】
端末装置と、
接続制御装置と
を備えた接続制御システムにおいて、
前記接続制御装置は、
前記端末装置から送信された接続要求を受信し、受信した前記接続要求にネットワークへの接続先を指定したネットワーク接続先情報が含まれていないとき又は有効ではない前記ネットワーク接続先情報が含まれているとき、有効な前記ネットワーク接続先情報を前記端末装置へ送信するよう制御する第１のプロセッサを備え、
前記端末装置は、前記有効なネットワーク接続先情報を受信する第２のプロセッサを備えることを特徴とする接続制御システム。
【請求項８】
接続制御装置におけるコンピュータに実行させる接続制御プログラムであって、
端末装置から送信された接続要求を受信し、受信した前記接続要求にネットワークへの接続先を指定したネットワーク接続先情報が含まれていないとき又は有効ではない前記ネットワーク接続先情報が含まれているとき、有効な前記ネットワーク接続先情報を前記端末装置へ送信するよう制御する処理を
コンピュータに実行させる接続制御プログラム。
【請求項９】
プロセッサを有する接続制御装置における接続制御方法であって、
前記プロセッサにより、プロセッサ端末装置から送信された接続要求を受信し、受信した前記接続要求にネットワークへの接続先を指定したネットワーク接続先情報が含まれていないとき又は有効ではない前記ネットワーク接続先情報が含まれているとき、有効な前記ネットワーク接続先情報を前記端末装置へ送信するよう制御する
ことを特徴とする接続制御方法。
【発明の詳細な説明】
【技術分野】
【０００１】
本発明は、接続制御装置、接続制御システム、接続制御プログラム、及び接続制御方法に関する。
【背景技術】
【０００２】
近年、ＳＩＭ（Subscriber Identity Module）フリーの端末装置やＭＶＮＯ（Mobile Virtual Network Operator）事業者が提供する端末装置などが普及している。ユーザは海外現地事業者のＳＩＭカードを購入し、当該ＳＩＭカードを端末装置に挿入するなどして当該端末装置を海外において利用することができる。或いは、ユーザは、ＭＶＮＯ事業者のＳＩＭカードを購入し、当該ＳＩＭカードを当該端末装置に挿入するなどして当該端末装置を利用することもできる。
【０００３】
このような端末装置においてはユーザ自身によってＡＰＮ（Access Point Name）の設定が行われる場合がある。ＡＰＮとは、例えば、端末装置をネットワークへ接続してパケット通信を行う際に接続先を指定する文字列のことである。例えば、ユーザは端末装置に対してＡＰＮ情報を入力することで、端末装置に対するＡＰＮの設定を行う。ＡＰＮの設定により、当該端末装置のネットワークへのアクセスが可能となり、ネットワークを介したパケット通信（又はデータ通信）が可能となる。
【０００４】
このような移動通信に関する技術として、例えば、以下のような技術がある。すなわち、移動局がローカルＩＰ（Internet Protocol）アクセス用のＡＰＮを含むＰＤＮ（Packed Data Network）コネクティビティ要求をＭＭＥ（Mobility Management Entity）へ送信し、当該要求に基づいてＭＭＥにおいてＰＤＮコネクションを確立するようにした技術がある。
【０００５】
この技術によれば、ホーム基地局のローカルＩＰアクセス機能を用いて提供される複数のサービスについて、ホーム基地局所有者等がそのサービス毎にアクセス権限を設定することができる、とされる。
【０００６】
なお、この技術では、移動局はホーム基地局に接続した際にホーム基地局に割り当てられたＡＰＮ情報をＳＭＳ（Short Message Service）によって取得している。
【０００７】
また、関門ノードが移動端末から送信された制御信号に含まれる接続先情報からモバイルＶＰＮ（Virtual Private Network）サービス要求の有無を判別し、当該要求を検出すると、関門ノードのＩＰアドレスを加入者ノード経由で移動端末に通知するようにした技術もある。
【０００８】
この技術によれば、ＩＰｖ６移動体パケット網においてモバイルトンネルを利用することなくモバイルＶＰＮサービスを提供することができる、とされる。
【先行技術文献】
【特許文献】
【０００９】
【特許文献１】特開２０１２−２４９３１８号公報
【特許文献２】特開２００１−３２６６９７号公報
【発明の概要】
【発明が解決しようとする課題】
【００１０】
しかし、ユーザ自身によるＡＰＮの設定については、ユーザが面倒に感じる等により、ＡＰＮの設定が行われない場合がある。或いは、ユーザの入力ミスや、更新されたＡＰＮ情報を取得できない等により、間違ったＡＰＮの設定が行われる場合もある。いずれの場合も、ＡＰＮの設定が正しく行われないことで、端末装置はパケット通信を行うことができない。
【００１１】
上述したＳＭＳによりＡＰＮ情報を取得する技術に関して、例えば、ユーザがＳＭＳオプション無しの契約を行った場合、端末装置はＳＭＳを利用することができず、ＳＭＳによりＡＰＮ情報を取得することができない。この場合、端末装置はパケット通信を行うことができない。
【００１２】
また、関門ノードから加入者ノード経由で関門ノードのＩＰアドレスを通知する技術については、どのようにＡＰＮ情報を取得するかについては何ら議論されていない。従って、この技術でもパケット通信を行うことができなくなる場合がある。
【００１３】
そこで、一開示は、端末装置においてパケット通信を行うことができるようにした接続制御装置、接続制御システム、接続制御プログラム、及び接続制御方法を提供することにある。
【００１４】
また、一開示は、端末装置において有効なＡＰＮ情報を取得できるようにした接続制御装置、接続制御システム、接続制御プログラム、及び接続制御方法を提供することにある。
【課題を解決するための手段】
【００１５】
一開示は、接続制御装置において、端末装置から送信された接続要求を受信し、受信した前記接続要求にネットワークへの接続先を指定したネットワーク接続先情報が含まれていないとき又は有効ではない前記ネットワーク接続先情報が含まれているとき、有効な前記ネットワーク接続先情報を前記端末装置へ送信するよう制御するプロセッサを備える。
【発明の効果】
【００１６】
一開示によれば、端末装置においてパケット通信を行うことができるようにした接続制御装置、接続制御システム、接続制御プログラム、及び接続制御方法を提供することができる。また、一開示によれば、端末装置において正しいＡＰＮ情報を取得できるようにした接続制御装置、接続制御システム、接続制御プログラム、及び接続制御方法を提供することができる。
【図面の簡単な説明】
【００１７】
【図１】図１は接続制御システムの構成例を表す図である。
【図２】図２は通信システムの構成例を表す図である。
【図３】図３（Ａ）は端末装置、図３（Ｂ）は基地局装置の構成例を夫々表す図である。
【図４】図４（Ａ）はＨＳＳ，ＭＭＥ，ＳＧＷ，ＰＤＮ  ＧＷの各構成例を表し、図４（Ｂ）はＡＰＮ情報通知サーバの構成例を表す図である。
【図５】図５は全体シーケンス例を表す図である。
【図６】図６は全体シーケンス例を表す図である。
【図７】図７は全体シーケンス例を表す図である。
【図８】図８（Ａ）はＨＳＳ対応テーブル、図８（Ｂ）はＳＧＷ対応テーブルの構成例を夫々表す図である。
【図９】図９は端末の動作例を表すフローチャートである。
【図１０】図１０は端末の動作例を表すフローチャートである。
【図１１】図１１はＨＳＳの動作例を表すフローチャートである。
【図１２】図１２はＳＧＷの動作例を表すフローチャートである。
【図１３】図１３はＳＧＷの動作例を表すフローチャートである。
【図１４】図１４はＡＰＮ情報通知サーバの動作例を表すフローチャートである。
【図１５】図１５は通信システムの構成例を表す図である。
【図１６】図１６は３ＧＰＰ  ＡＡＡサーバの構成例を表す図である。
【図１７】図１７は全体シーケンスの例を表す図である。
【図１８】図１８は全体シーケンスの例を表す図である。
【図１９】図１９は全体シーケンスの例を表す図である。
【図２０】図２０（Ａ）はＨＳＳ対応テーブル、図２０（Ｂ）はＳＧＷ対応テーブル、図２０（Ｃ）はＡＡＡ対応テーブル、図２０（Ｄ）はＡＰＮ対応テーブルの各構成例を表す図である。
【図２１】図２１はＡＰＮ情報通知サーバの動作例を表すフローチャートである。
【発明を実施するための形態】
【００１８】
以下、本発明を実施するための形態について説明する。
【００１９】
［第１の実施の形態］
第１の実施の形態について説明する。図１は第１の実施の形態における接続制御システム１０の構成例を表している。接続制御システム１０は端末装置１００と接続制御装置３００を備える。
【００２０】
端末装置１００は、例えば、フィーチャーフォンやスマートフォンなどの移動可能な通信端末である。端末装置１００は、第２のプロセッサ１０３を備える。また、端末装置１００は、ＳＩＭカードが挿入可能となっており、ＳＩＭカードを用いて端末装置の利用が可能となっている。このような端末装置１００は、例えば、ＳＩＭフリー端末装置と称される場合がある。
【００２１】
第２のプロセッサ１０３は、ネットワークへの接続に際して、接続要求を接続制御装置へ送信する。接続要求には、ネットワーク接続先情報が含まれていない、又は有効ではないネットワーク接続先情報である。ネットワーク接続先情報として、例えば、ＡＰＮ情報がある。有効ではないネットワーク接続先情報としては、例えば、端末装置１００を利用するユーザが契約したネットワークのネットワーク接続先情報ではないネットワーク接続先情報である。端末装置１００を利用するユーザが間違ってネットワーク接続先情報を入力するなどにより、有効ではないネットワーク接続先情報が設定される場合がある。
【００２２】
接続制御装置３００は第１のプロセッサ３０５を備える。第１のプロセッサ３０５は、接続要求を受信し、受信した接続要求にネットワーク接続先情報が含まれていないとき又は有効ではないネットワーク接続先情報が含まれているとき、有効なネットワーク接続先情報を端末装置１００へ送信するよう制御する。
【００２３】
有効なネットワーク接続先情報としては、例えば、ユーザが契約したネットワークの接続先を示すネットワーク接続先情報や、更新後のネットワーク接続先情報などがある。
【００２４】
例えば、ユーザは端末装置１００に対してネットワーク接続先情報を設定しない、又は間違ったネットワーク接続先情報を設定した場合、ネットワーク接続先情報が含まれない、又は有効ではないネットワーク接続先情報が含まれる接続要求が端末装置１００から送信される。
【００２５】
制御の方法としては複数の方法がある。例えば、接続制御装置３００は、有効なネットワーク接続先情報の接続情報を保持し、上記の接続要求を受信したとき当該接続情報を転送制御装置へ送信する。転送制御装置では、当該接続情報に基づいて、端末装置１００から情報通知装置への接続経路を設定し、情報通信装置から有効なネットワーク接続先情報を端末装置１００へ通知する。接続情報としては、情報通知装置のアドレス情報でもよいし、情報通知装置と接続されたゲートウェイ装置のアドレス情報でもよい。
【００２６】
このように本第１の実施の形態では、例えば、ユーザがネットワーク接続先情報を設定しない、又は有効ではないネットワーク接続先情報を設定した場合でも、接続制御装置３００の制御により、端末装置１００へ有効なネットワーク接続先情報が送信される。
【００２７】
従って、第１の実施の形態における接続制御システム１０においては、端末装置１００においては有効なネットワーク接続先情報を用いて接続要求を行うことで、ネットワークへの接続が可能となり、当該ネットワークを介してパケット通信を行うことができる。また、端末装置１００は有効なＡＰＮ情報も取得できる。  
【００２８】
［第２の実施の形態］
次に第２の実施の形態について説明する。
【００２９】
＜通信システムの構成例＞
本第２の実施の形態における通信システムの構成例について説明する。図２は通信システム（又は接続制御システム、以下「通信システム」と称する場合がある）１０の構成例を表す図である。
【００３０】
通信システム１０は、端末装置（又はＵＥ（User Equipment）、以下「端末」と称する場合がある）１００、基地局装置（又はｅＮＢ（evolved Node B）、以下「基地局」と称する場合がある）２００を備える。また、通信システム１０は、ＨＳＳ（Home Subscriber Service）３００、ＭＭＥ（Mobility Management Entity）４００、ＳＧＷ（Serving Gateway）５００を備える。更に、通信システム１０は、ＰＤＮ  ＧＷ（Packet Data Network Gateway）（Ａ）６００−Ａ、ＰＤＮ  ＧＷ（Ｂ）６００−Ｂ、ネットワーク７００−Ａ，７００−Ｂを備える。
【００３１】
なお、基地局２００、ＨＳＳ３００、ＭＭＥ４００、ＳＧＷ５００、ＰＤＮ  ＧＷ（Ａ）６００−Ａ，（Ｂ）６００−Ｂを含むネットワークのことを、例えば、コアネットワークと称する場合がある。
【００３２】
端末１００は、例えば、フィーチャーフォンやスマートフォン、タブレット、パーソナルコンピュータ、ゲーム装置などの移動可能な通信端末である。例えば、端末１００は、ＳＩＭ（Subscriber Identity Module Card）フリーの端末や、ＭＶＮＯ（Mobile Virtual Network Operator、仮想移動体通信事業者、以下では「ＭＶＮＯ」と称する場合がある）事業者が提供する端末などである。ＳＩＭフリーの端末とは、例えば、ＳＩＭカードの種類を選ばずに使用可能な端末のことである。例えば、ユーザは入手したＳＩＭカードを端末１００に挿入して使用することが可能となる。ＳＩＭカードは、例えば、回線番号や、他のＳＩＭカードと識別する識別番号などの情報が記憶されたＩＣ（Integrated Circuit）カードである。ＳＩＭカードに記憶される回線番号などの情報のことを、例えば、ＳＩＭ情報と称する場合がある。本第２の実施の形態における端末１００は、例えば、このようなＳＩＭカードの挿入が可能で、ＳＩＭカードを用いて利用可能な端末となっている。
【００３３】
なお、ＭＶＮＯ事業者とは、例えば、物理的な通信回線網を自社では持たずに通信回線網を保有する事業者から借りて通信サービスを提供する事業者のことである。このような事業者が提供する端末は、当該事業者の提供するＳＩＭカードを用いて利用可能となっている。
【００３４】
基地局２００は、サービス提供範囲に位置する端末１００に対して、通話サービスやＷｅｂ閲覧サービスなど、種々のサービスを提供する。基地局２００と端末１００との間は無線区間であり、基地局２００は端末１００と無線信号を交換することで端末１００に対して種々のサービスを提供する。
【００３５】
ＨＳＳ３００は、例えば、サービスの提供を受ける加入者の契約情報などを管理し、契約情報などに基づいて端末１００（又は端末１００を利用するユーザ）に対する認証を行う。ＨＳＳ３００は、例えば、加入者情報管理装置でもある。
【００３６】
ＭＭＥ４００は、例えば、制御信号を管理し、端末１００の位置管理も行う。ＭＭＥ４００は、例えば、位置管理装置でもある。
【００３７】
なお、制御信号を取り扱う制御チャネル又はその機能群のことを、例えば、Ｃ−Ｐｌａｎｅ（Control Plane）と称する場合がある。図２において実線で示す矢印はＣ−Ｐｌａｎｅ上の制御信号のやりとりを表している。また、ユーザデータを取り扱うトラヒックチャネル又はその機能群のことを、例えば、Ｕ−Ｐｌａｎｅ（User Plane）と称する場合がある。図２において点線で示す矢印はＵ−Ｐｌａｎｅ上のユーザデータのやりとりを表している。
【００３８】
ＳＧＷ５００は、例えば、端末１００からネットワーク（Ａ）７００−Ａへのアクセス要求を、ネットワーク（Ａ）７００−Ａ又はネットワーク（Ｂ）７００−Ｂ（又は、ＰＤＮ  ＧＷ（Ａ）６００−Ａ或いはＰＤＮ  ＧＷ（Ｂ）６００−Ｂ）へ転送（又はスイッチ）する。ＳＧＷ５００は、例えば、転送制御装置（又はサービス制御装置）でもある。
【００３９】
ＰＤＮ  ＧＷ（Ａ）６００−Ａは、ネットワーク（Ａ）７００−Ａと接続され、ネットワーク（Ａ）７００−Ａとコアネットワークとを接続するゲートウェイとして機能する。
【００４０】
ＰＤＮ  ＧＷ（Ｂ）６００−Ｂは、ネットワーク７００−Ｂと接続され、ネットワーク（Ｂ）７００−Ｂとコアネットワークとを接続するゲートウェイとして機能する。
【００４１】
ＰＤＮ  ＧＷ（Ａ）６００−ＡとＰＤＮ  ＧＷ（Ｂ）６００−Ｂは、例えば、アクセス制御装置でもある。
【００４２】
ネットワーク（Ａ）７００−Ａは、例えば、通信キャリア事業者やＭＶＮＯ事業者が所有するＰＤＮ（Packet Data Network）である。このような事業者と契約した端末１００（又は端末１００を使用するユーザ）はＰＤＮ  ＧＷ（Ａ）６００−Ａを介してネットワーク７００−Ａと接続され、ネットワーク７００−Ａ内のサーバなどとパケット通信を行う。このようなネットワーク（Ａ）７００−Ａは、コアネットワークに対して外部にあることから、例えば、外部ネットワークと称する場合がある。
【００４３】
なお、通信キャリア事業者とは、例えば、物理的な通信回線網を自社で保有し、そのような通信回線網を利用して通信サービスを提供する事業者のことである。通信キャリア事業者とＭＶＮＯ事業者とをまとめて、例えば、サービス提供事業者と称する場合がある。
【００４４】
ネットワーク（Ｂ）７００−Ｂは、例えば、ＡＰＮ情報通知サーバ装置８００を含む専用のネットワークである。ネットワーク（Ｂ）７００−Ｂは、例えば、サービス提供事業者が提供するＰＤＮでもよい。
【００４５】
ＡＰＮ情報通知サーバ装置（又は情報通知装置、以下「ＡＰＮ情報通知サーバ」と称する場合がある）８００は、有効なＡＰＮ情報を保持し、有効なＡＰＮ情報を送信する。ＡＰＮ設定が正しく行われなかった端末１００はＰＤＮ  ＧＷ（Ｂ）６００−Ｂを介してＡＰＮ情報通知サーバ８００へと接続が誘導され、ＡＰＮ情報通知サーバ８００はそのような端末１００に向けて有効なＡＰＮ情報を送信する。
【００４６】
なお、ＡＰＮ（又はＡＰＮ情報）は、例えば、端末１００をネットワーク（コアネットワーク又はネットワーク（Ａ）７００−Ａ）へ接続してパケット通信を行う際に接続先を指定する文字列のことであり、ネットワークへの接続先を指定したネットワーク接続先情報でもある。ネットワーク（Ａ）７００−ＡのＡＰＮとしては、例えば、ＰＤＮ  ＧＷ（Ａ）６００−Ａ（又はネットワーク（Ａ）７００−Ａ）を指定する「Ｗｅｂ＃１」などがある。このようなＡＰＮは、サービス提供事業者によって異なる文字列となることから、サービス提供事業者を識別する文字列となっている。なお、以下においてはＡＰＮとＡＰＮ情報とをとくに区別することなく用いるものとする。
【００４７】
なお、ＡＰＮ情報は、例えば、第１の実施の形態におけるネットワーク接続先情報に対応する。
【００４８】
以降では、端末１００からＡＰＮ情報通知サーバ８００までの各装置の構成例について説明する。
【００４９】
＜１．１  端末装置の構成例＞
図３（Ａ）は端末１００の構成例を表す図である。端末１００は、アンテナ１０１、無線部１０２、プロセッサ１０３、オーディオ入出力部１０４、メモリ１０５、タッチセンサ１０８、表示部１０９を備える。
【００５０】
アンテナ１０１は、基地局２００との間で無線信号を交換する。
【００５１】
無線部１０２は、プロセッサ１０３から出力されたユーザデータなどを無線信号に変換し、変換した無線信号をアンテナ１０１へ出力する。また、無線部１０２は、アンテナ１０１から出力された無線信号からユーザデータなどを抽出して、抽出したユーザデータなどをプロセッサ１０３へ出力する。
【００５２】
プロセッサ１０３は、例えば、端末１００を制御する処理部又は制御部である。プロセッサ１０３は、ＲＯＭ（Read Only Memory）１０６に記憶されたプログラムを読み出して、読み出したプログラムを実行することで種々の処理や機能を実行する。例えば、プロセッサ１０３はＣ−ＰＬＡＮＥ接続要求やＵ−ＰＬＡＮＥ接続要求を生成し、生成したこれらの接続要求を基地局２００へ送信する。プロセッサ１０３で行われる機能又は処理の詳細は動作例において説明する。
【００５３】
なお、プロセッサ１０３は、例えば、第１の実施の形態における第２のプロセッサ１０３に対応する。
【００５４】
オーディオ入出力部１０４は、プロセッサ１０３から出力された音声データを音声に変換してユーザに向けて音声出力したり、ユーザからの音声を音声データに変換してプロセッサ１０３へ出力する。
【００５５】
メモリ１０５は、ＲＯＭ１０６とＲＡＭ（Random Access Memory）１０７を含む。
【００５６】
タッチセンサ１０８は、例えば、表示部１０９に表示されたタッチ画面に対してユーザが画面上に触れたことを検出するセンサである。
【００５７】
表示部１０９は、例えば、液晶モニタであり、プロセッサ１０３の制御により、画像やタッチ画面などを表示する。
【００５８】
ＡＰＮの設定は、例えば、以下のようにして行われる。すなわち、ユーザはタッチ画面を操作するなどしてＡＰＮ情報を入力する。プロセッサ１０３は、タッチセンサ１０８を介して、ユーザが入力したＡＰＮ情報を検出し、検出したＡＰＮ情報をＲＡＭ１０７に記憶する。或いは、プロセッサ１０３は無線部１０２を介してＡＰＮ情報を受け取り、これをＲＡＭ１０７に記憶して、ＡＰＮの設定の際に、ＲＡＭ１０７から読み出してユーザにより選択された情報をＲＡＭ１０７に記憶することでＡＰＮの設定を行ってもよい。プロセッサ１０３は、例えば、ＲＡＭ１０７からＡＰＮ情報を読み出して、ＡＰＮ情報を含むアクセス要求などを基地局２００へ送信することで、パケット通信が可能となる。
【００５９】
＜１．２  基地局装置の構成例＞
図３（Ｂ）は基地局２００の構成例を表す図である。基地局２００は、アンテナ２０１、無線部２０２、プロセッサ２０３、表示部２０４、入力部２０５、ＲＡＭ２０６、ＨＤＤ（Hard Disk Drive）２０７を備える。
【００６０】
アンテナ２０１は、端末１００との間で無線信号を交換する。
【００６１】
無線部２０２は、プロセッサ２０３から出力されたユーザデータなどを無線信号に変換し、変換した無線信号をアンテナ２０１へ出力する。また、無線部２０２は、アンテナ２０１から出力された無線信号からユーザデータなどを抽出し、抽出したユーザデータなどをプロセッサ２０３へ出力する。
【００６２】
プロセッサ２０３は、例えば、基地局２００を制御する処理部又は制御部である。プロセッサ２０３は、ＲＡＭ２０６に記憶されたプログラムを読み出して、読み出したプログラムを実行することで種々の処理や機能を実行する。例えば、プロセッサ２０３は、端末１００から送信されたＣ−ＰＬＡＮＥ接続要求やＵ−ＰＬＡＮＥ接続要求を受信し、受信したこれらの接続要求をＭＭＥ４００やＳＧＷ５００へ送信する。プロセッサ２０３で行われる機能又は処理の詳細は動作例において説明する。
【００６３】
表示部２０４は、例えば、液晶モニタなどであって、ＲＡＭ２０６やＨＤＤ２０７に記憶された情報などを表示する。入力部２０５は、例えば、キーボードや表示部２０４に表示されたタッチ画面などである。
【００６４】
＜１．３  ＨＳＳの構成例＞
図４（Ａ）はＨＳＳ３００の構成例を表している。ＨＳＳ３００は、表示部３０１、入力部３０２、ＲＡＭ３０３、ＨＤＤ３０４、プロセッサ３０５、通信ＩＦ（Interface）３０６を備える。
【００６５】
表示部３０１は、例えば、液晶モニタであって、プロセッサ３０５の制御によりＲＡＭ３０３やＨＤＤ３０４に記憶された情報などを表示する。入力部３０２は、例えば、キーボードや表示部３０１に表示されたタッチ画面などである。
【００６６】
プロセッサ３０５は、ＨＳＳ３００を制御する処理部又は制御部である。プロセッサ３０５は、ＲＡＭ３０３に記憶されたプログラムを読み出して、読み出したプログラムを実行することで、ＨＳＳ３００において種々の処理や機能を実行する。
【００６７】
なお、プロセッサ３０５は、例えば、第１の実施の形態における第１のプロセッサ３０５に対応する。
【００６８】
例えば、以下のような処理が行われる。すなわち、プロセッサ３０５は、ＭＭＥ４００から接続認証要求を受信して、端末１００に対する認証を行う。また、プロセッサ３０５は、接続認証要求に有効なＡＰＮ情報が含まれるか否かを判別し、判別結果に応じて、ＰＤＮ  ＧＷ（Ａ）６００−Ａ，（Ｂ）６００−Ｂのアドレス情報（以下、「ＰＤＮ  ＧＷアドレス情報」と称する場合がある）をＨＤＤ３０４から読み出して、当該アドレス情報をＭＭＥ４００経由でＳＧＷ５００へ送信する。プロセッサ３０５で行われる機能又は処理の詳細は動作例において説明する。
【００６９】
ＨＤＤ３０４は、例えば、契約情報やＨＳＳ対応テーブルなどを記憶する。ＨＳＳ対応テーブルは、例えば、ＡＰＮ情報とＰＤＮ  ＧＷアドレス情報との対応関係を記憶したテーブルである。ＨＳＳ対応テーブルの詳細は後述する。
【００７０】
通信ＩＦ３０６は、プロセッサ３０５から出力された制御信号などを外部へ出力可能なフォーマットに変換し、変換後の制御信号などをＭＭＥ４００へ送信する。また、通信ＩＦ３０６は、ＭＭＥ４００から送信された所定のフォーマットの信号を受信し、受信した信号から制御信号などを抽出して、抽出した制御信号などをプロセッサ３０５へ出力する。
【００７１】
＜１．４  ＭＭＥの構成例＞
図４（Ａ）はＭＭＥ４００の構成例も表している。ＭＭＥ４００は、表示部４０１、入力部４０２、ＲＡＭ４０３、ＨＤＤ４０４、プロセッサ４０５、通信ＩＦ４０６を備える。
【００７２】
表示部４０１と入力部４０２の機能は、例えば、ＨＳＳ３００の表示部３０１と入力部３０２と夫々同じである。
【００７３】
プロセッサ４０５は、例えば、ＭＭＥ４００を制御する処理部又は制御部である。プロセッサ４０５は、ＲＡＭ４０３に記憶されたプログラムを読み出して、読み出したプログラムを実行することで種々の処理や機能を実行する。例えば、以下の処理が行われる。すなわち、プロセッサ４０５は、端末１００から送信されたＣ−ＰＬＡＮＥ接続要求を基地局２００から受信し、受信した当該要求に対して接続認証要求を生成し、生成した接続認証要求をＨＳＳ３００へ送信する。また、プロセッサ４０５は、ＨＳＳ３００から送信されたＰＤＮ  ＧＷアドレス情報を受信し、受信した当該アドレス情報をＳＧＷ５００へ送信する。プロセッサ４０５で行われる処理又は機能の詳細は動作例において説明する。
【００７４】
通信ＩＦ４０６は、プロセッサ４０５から出力されたデータや制御信号などを外部へ出力可能なフォーマットに変換し、変換後のデータや制御信号などを基地局２００、ＨＳＳ３００、ＳＧＷ５００へ送信する。また、通信ＩＦ４０６は、基地局２００、ＨＳＳ３００、ＳＧＷ５００から出力された所定フォーマットの信号を受信し、受信した信号からデータや制御信号などを抽出し、抽出したデータなどをプロセッサ４０５へ出力する。
【００７５】
＜１．５  ＳＧＷの構成例＞
図４（Ａ）はＳＧＷ５００の構成例も表している。ＳＧＷ５００は、表示部５０１、入力部５０２、ＲＡＭ５０３、ＨＤＤ５０４、プロセッサ５０５、通信ＩＦ５０６を備える。
【００７６】
表示部５０１と入力部５０２の機能は、例えば、ＨＳＳ３００の表示部３０１と入力部３０２と夫々同じである。
【００７７】
プロセッサ５０５は、例えば、ＳＧＷ５００を制御する処理部又は制御部である、プロセッサ５０５は、ＲＡＭ５０３に記憶されたプログラムを読み出して、読み出したプログラムを実行することで種々の機能を実行する。例えば、プロセッサ５０５はＭＭＥ４００から受信したＰＤＮ  ＧＷアドレス情報に従って、端末１００から送信されたアクセス要求をＰＤＮ  ＧＷ（Ａ）６００−Ａ又はＰＤＮ  ＧＷ（Ｂ）６００−Ｂへ送信する。プロセッサ５０５で行われる処理又は機能の詳細は動作例において説明する。
【００７８】
ＨＤＤ５０４にはＳＧＷ対応テーブルなどが記憶される。ＳＧＷ対応テーブルは、例えば、回線番号とＰＤＮ  ＧＷアドレス情報との対応関係を記憶したテーブルである。ＳＧＷ対応テーブルの詳細は後述する。
【００７９】
通信ＩＦ５０６は、プロセッサ５０５から出力されたデータや制御信号などを外部へ出力可能なフォーマットに変換し、変換後のデータや制御信号などを基地局２００、ＭＭＥ４００、ＰＤＮ  ＧＷ（Ａ）６００−Ａ，（Ｂ）６００−Ｂへ送信する。また、通信ＩＦ５０６は、基地局２００、ＭＭＥ４００、ＰＤＮ  ＧＷ（Ａ）６００−Ａ，（Ｂ）６００−Ｂから出力された所定フォーマットの信号を受信し、受信した信号からデータや制御信号などを抽出し、抽出したデータなどをプロセッサ５０５へ出力する。
【００８０】
＜１．６  ＰＤＮ  ＧＷの構成例＞
図４（Ａ）はＰＤＮ  ＧＷ（Ａ）６００−Ａ，（Ｂ）６００−Ｂの構成例を表している。ＰＤＮ  ＧＷ（Ａ）６００−ＡとＰＤＮ  ＧＷ（Ｂ）６００−ＢをまとめてＰＤＮ  ＧＷ６００と称する場合がある。
【００８１】
ＰＤＮ  ＧＷ６００は、表示部６０１、入力部６０２、ＲＡＭ６０３、ＨＤＤ６０４、プロセッサ６０５、通信ＩＦ６０６を備える。
【００８２】
表示部６０１と入力部６０２は、例えば、ＨＳＳ３００の表示部３０１と入力部３０２と夫々同じである。
【００８３】
プロセッサ６０５は、例えば、ＰＤＮ  ＧＷ６００を制御する処理部又は制御部である。プロセッサ６０５は、ＲＡＭ６０３に記憶されたプログラムを読み出して、読み出したプログラムを実行することで種々の処理や機能を実行する。例えば、プロセッサ６０５は端末１００から送信されたアクセス要求を送信先のネットワーク（Ａ）７００−Ａ，（Ｂ）７００−Ｂ（又はＡＰＮ情報通知サーバ８００）へ転送する。プロセッサ６０５で行われる処理又は機能の詳細は動作例において説明する。
【００８４】
通信ＩＦ６０６は、プロセッサ６０５から出力されたデータなどを外部へ出力可能なフォーマットに変換し、変換後のデータなどをＳＧＷ５００やネットワーク（Ａ）７００−ＡやＡＰＮ情報通知サーバ８００へ送信する。また、通信ＩＦ６０６は、ネットワーク（Ａ）７００−ＡやＡＰＮ情報通知サーバ８００から送信された所定フォーマットの信号を受信し、受信した信号からデータなどを抽出し、抽出したデータなどをプロセッサ６０５へ出力する。
【００８５】
＜１．７  ＡＰＮ情報通知サーバ＞
図４（Ｂ）はＡＰＮ情報通知サーバ８００の構成例を表す図である。ＡＰＮ情報通知サーバ８００は、表示部８０１、入力部８０２、ＲＡＭ８０３、ＨＤＤ８０４、プロセッサ８０５、通信ＩＦ８０６を備える。
【００８６】
表示部８０１と入力部８０２は、例えば、ＨＳＳ３００の表示部３０１と入力部３０２と夫々同じである。
【００８７】
プロセッサ８０５は、ＡＰＮ情報通知サーバ８００を制御する処理部又は制御部である。プロセッサ８０５は、ＲＡＭ８０３に記憶されたプログラムを読み出して、読み出したプログラムを実行することで種々の処理や機能を実行する。例えば、プロセッサ８０５は以下の処理を行う。すなわち、プロセッサ８０５は、端末１００から送信されたアクセス要求を受信すると、ＡＰＮ設定アプリケーションのダウンロードを促すＨＴＭＬ（Hyper Text Markup Language）データを端末１００へ向けて送信する。また、プロセッサ８０５は、端末１００から送信された当該アプリケーションのダウンロード要求を受信すると、有効なＡＰＮ情報を含むＡＰＮ設定アプリケーションのインストール用ファイルデータを端末１００へ向けて送信する。このようなＨＴＭＬデータやインストール用ファイルデータは、例えば、ＨＤＤ８０４に記憶される。プロセッサ８０５で行われる処理又は機能の詳細は動作例において説明する。
【００８８】
通信ＩＦ８０６は、プロセッサ８０５から出力されたデータなどを外部へ出力可能なフォーマットに変換し、変換後のデータなどをＰＤＮ  ＧＷ（Ｂ）６００−Ｂへ送信する。また、通信ＩＦ８０６は、ＰＤＮ  ＧＷ（Ｂ）６００−Ｂから送信された所定フォーマットの信号を受信し、受信した信号からデータなどを抽出し、抽出したデータなどをプロセッサ８０５へ出力する。
【００８９】
＜動作例＞
次に動作例について説明する。動作例については以下の順番で説明する。
＜２．１  全体シーケンス例＞
＜２．２  各装置の動作例＞
＜２．２．１  端末の動作例＞
＜２．２．２  ＨＳＳの動作例＞
＜２．２．３  ＳＧＷの動作例＞
＜２．２．４  ＡＰＮ情報通知サーバの動作例＞
【００９０】
＜２．１  全体シーケンス例＞
図５から図７は通信システム１０における全体のシーケンス例を表している。また、図８（Ａ）はＨＳＳ対応テーブル、図８（Ｂ）はＳＧＷ対応テーブルの例を夫々表している。
【００９１】
なお、図５から図７において、基地局２００は省略されている。端末１００とＭＭＥ４００間においては基地局２００が存在し、端末１００と基地局２００の間の無線区間では無線信号が交換され、基地局２００とＭＭＥ４００の有線区間では制御信号などが交換される。このような動作については説明を省略する。また、端末１００とＳＧＷ５００間についての基地局２００が存在しているが、この場合も同様に、無線信号からデータなどへの変換などの処理があるが、省略して説明することにする。
【００９２】
また、以降の動作例において、「要求信号」（又は要求メッセージ）や「応答信号」（又は応答メッセージ）、「アドレス情報」（又はアドレス）などについては、「要求」や「応答」、「アドレス」と夫々称する場合がある。
【００９３】
端末１００は、通信システム１０への接続を開始すると、基地局２００を介してＭＭＥ４００へＣ−ＰＬＡＮＥ接続要求を送信する（Ｓ１０）。Ｃ−ＰＬＡＮＥ接続要求により、端末１００はコアネットワーク又はネットワーク（Ａ）７００−Ａへの接続を要求している。Ｃ−ＰＬＡＮＥ接続要求には、端末１００の回線番号とＡＰＮ情報が含まれてもよく、ＡＰＮ情報が含まれない場合もある。ユーザが端末１００において行ったＡＰＮの設定に応じて、Ｃ−ＰＬＡＮＥ接続要求にＡＰＮ情報が含まれたり、含まれなかったりする。
【００９４】
ＭＭＥ４００は、Ｃ−ＰＬＡＮＥ接続要求を受信すると、接続認証要求をＨＳＳ３００へ送信する（Ｓ１１）。例えば、ＭＭＥ４００はＣ−ＰＬＡＮＥ接続要求に含まれる端末１００の回線番号とＡＰＮ情報を抽出して、これらの情報を含む接続認証要求を生成し、生成した接続認証要求をＨＳＳ３００へ送信する。Ｃ−ＰＬＡＮＥ接続要求にＡＰＮ情報が含まれていないときは、接続認証要求にはＡＰＮ情報が含まれないことになる。
【００９５】
なお、Ｃ−ＰＬＡＮＥ接続要求と接続認証要求を、例えば、「接続要求」と称する場合がある。
【００９６】
ＨＳＳ３００は、接続認証要求を受信すると、端末１００が契約のある端末か否かを判別する（Ｓ１２）。例えば、ＨＳＳ３００は、端末１００の契約情報（又は端末１００を利用するユーザの契約情報）を保持しており、受信した接続認証要求に含まれる回線番号と契約情報に含まれる回線番号が一致していれば「契約のある端末」、一致していなければ「契約のない端末」と判別してもよい。
【００９７】
ＨＳＳ３００は、接続認証要求の対象となる端末１００が契約のある端末ではないと判別したとき（Ｓ１２でＮｏ）、契約対象の端末ではない旨を示す応答をＭＭＥ４００へ送信する（Ｓ１３）。
【００９８】
ＭＭＥ４００は当該応答を受信すると、Ｃ−ＰＬＡＮＥ接続要求（Ｓ１０）についてはリジェクト（又は拒否）することを決定し、その旨を示す応答を端末１００へ送信する（Ｓ１５）。端末１００は、当該応答を受信すると、Ｃ−ＰＬＡＮＥ接続処理を終了する（Ｓ１６）。
【００９９】
一方、ＨＳＳ３００は、端末１００が契約のある端末であると判別したとき（Ｓ１２でＹｅｓ）、有効なＡＰＮ情報が接続認証要求に含まれているか否かを判別する（Ｓ２０）。ＨＳＳ３００は、このような判別をＨＳＳ対応テーブルに基づいて行う。
【０１００】
図８（Ａ）はＨＳＳ対応テーブル３０４１の例を表す図である。ＨＳＳ対応テーブル３０４１には、例えば、ＡＰＮ情報とＰＤＮ  ＧＷアドレス情報との対応関係が記憶される。図８（Ａ）の例では、ＡＰＮ情報が「Ｗｅｂ＃１」の場合、ＰＤＮ  ＧＷアドレス情報は「Ａ」であることを示している。この「Ａ」は、ＰＤＮ  ＧＷ（Ａ）６００−Ａのアドレス情報を表しており、「Ａ」に対応するＡＰＮ情報「Ｗｅｂ＃１」は、サービス提供事業者が提供するネットワーク（Ａ）７００−Ａに対する有効なＡＰＮ情報であることを表している。従って、ＨＳＳ３００は、有効なＡＰＮ情報か否かは、ＨＳＳ対応テーブル３０４１に記憶した「Ｗｅｂ＃１」と一致するか否かにより判別している。
【０１０１】
すなわち、ＨＳＳ３００は、接続認証要求から抽出したＡＰＮ情報が「Ｗｅｂ＃１」と一致するときは、有効なＡＰＮ情報であると判別する（図５のＳ２０でＹｅｓ）。一方、ＨＳＳ３００は、接続認証要求にＡＰＮ情報が含まれていない、或いは有効ではないＡＰＮ情報が含まれている（当該要求から抽出したＡＰＮ情報が「Ｗｅｂ＃１」と一致しない）とき、有効なＡＰＮ情報ではないと判別する（Ｓ２０でＮｏ）。
【０１０２】
ＨＳＳ３００は、接続認証要求に有効なＡＰＮ情報が含まれているとき（Ｓ２０でＹｅｓ）、ＡＰＮ情報に対応するＰＤＮ  ＧＷアドレスをＨＳＳ対応テーブル３０４１から読み出す（Ｓ２１）。図８（Ａ）の例では、ＨＳＳ３００はＰＤＮ  ＧＷ（Ａ）６００−Ａのアドレス情報「Ａ」を読み出す。
【０１０３】
次に、ＨＳＳ３００は読み出したＰＤＮ  ＧＷ（Ａ）６００−Ａのアドレス情報をＭＭＥ４００へ送信する（Ｓ２２）。
【０１０４】
ＭＭＥ４００は、ＰＤＮ  ＧＷ（Ａ）６００−Ａのアドレス情報を受信すると、受信した当該アドレス情報をＳＧＷ５００へ送信する（Ｓ２３）。
【０１０５】
ＳＧＷ５００は、ＰＤＮ  ＧＷ（Ａ）６００−Ａのアドレス情報を受信すると、受信したＰＤＮ  ＧＷ（Ａ）６００−Ａのアドレス情報をＳＧＷ対応テーブル５０４１に格納する（Ｓ２５）。
【０１０６】
図８（Ｂ）はＳＧＷ対応テーブル５０４１の例を表す図である。ＳＧＷ対応テーブル５０４１には、端末１００（又はＳＩＭカード）の回線番号と、ＨＳＳ３００から通知されたアドレス情報とが記憶される。図８（Ｂ）の例では、回線番号「０９０−９９９９−９９９９」の端末１００は、ＨＳＳ３００から通知されたアドレス情報として「Ａ」（＝ＰＤＮ  ＧＷ（Ａ）６００−Ａのアドレス情報）が記憶されている例を表している。
【０１０７】
なお、端末１００の回線番号は、ＨＳＳ３００から送信されたアドレス情報とともに送信されてもよい。
【０１０８】
図５に戻り、ＭＭＥ４００は、ＰＤＮ  ＧＷ（Ａ）６００−Ａのアドレス情報をＳＧＷ５００へ送信した後、Ｃ−ＰＬＡＮＥ接続要求（Ｓ１０）をアクセプト（又は許可）することを決定し（Ｓ２６）、許可を示す応答を端末１００へ向けて送信する（Ｓ２７）。
【０１０９】
端末１００は、当該応答を受信するとＣ−ＰＬＡＮＥ接続を完了し（Ｓ２８）、Ｕ−ＰＬＡＮＥ接続要求をＳＧＷ５００へ向けて送信する（Ｓ２９）。Ｕ−ＰＬＡＮＥ接続要求を、例えば、「接続要求」と称する場合がある。
【０１１０】
ＳＧＷ５００は、Ｕ−ＰＬＡＮＥ接続要求を受信すると、端末１００のＵ−ＰＬＡＮＥをＰＤＮ  ＧＷ（Ａ）６００−Ａに接続する（Ｓ３０）。
【０１１１】
例えば、Ｕ−ＰＬＡＮＥ接続要求には端末１００の回線番号が含まれ、ＳＧＷ５００は当該要求を受信すると、端末１００の回線番号をキーにしてＨＳＳ対応テーブル３０４１の中から、当該回線番号に対応するアドレス情報を読み出す。図８（Ｂ）の例では、ＳＧＷ５００は、回線番号「０９０−９９９９−９９９９」に対応するＰＤＮ  ＧＷ（Ａ）６００−Ａのアドレス情報「Ａ」を読み出す。そして、ＳＧＷ５００はＰＤＮ  ＧＷ（Ａ）６００−Ａとの間で接続回線（例えば回線ベアラ）を設定する。これにより、端末１００（又はＳＧＷ５００）からＰＤＮ  ＧＷ（Ａ）６００−Ａへの経路が設定される。
【０１１２】
ＳＧＷ５００は端末１００のＵ−ＰＬＡＮＥをＰＤＮ  ＧＷ（Ａ）６００−Ａに接続すると、接続したことを示す応答を端末１００へ向けて送信する（Ｓ３１）。
【０１１３】
端末１００は当該応答を受信すると、Ｕ−ＰＬＡＮＥの接続が正常におこなわれたことを確認してＵ−ＰＬＡＮＥの接続を完了する（Ｓ３２）。そして、端末１００は、ネットワーク（Ａ）７００−ＡへＨＴＴＰアクセスに関するアクセス要求を送信する（Ｓ３３）。端末１００はサービス提供事業者が提供するネットワーク（Ａ）７００−Ａを介してパケット通信を行うことが可能となる。
【０１１４】
一方、ＨＳＳ３００は、接続認証要求に有効なＡＰＮ情報が含まれていないとき（Ｓ２０でＮｏ）、ＰＤＮ  ＧＷ（Ｂ）６００−Ｂのアドレス情報を読み出す（Ｓ４０）。
【０１１５】
図８（Ａ）に示すように、ＨＳＳ対応テーブル３０４１には、有効なＡＰＮ情報が接続要求に含まれていないときのためにＰＤＮ  ＧＷアドレス情報「Ｂ」が記憶される。このアドレス情報「Ｂ」はＰＤＮ  ＧＷ（Ｂ）６００−Ｂのアドレスを表している。ＨＳＳ３００は、かかる場合、このＰＤＮ  ＧＷアドレス情報「Ｂ」を読み出すようにしている。
【０１１６】
図６に戻り、ＨＳＳ３００は読み出したＰＤＮ  ＧＷ（Ｂ）６００−Ｂのアドレス情報をＭＭＥ４００へ送信する（Ｓ４１）。
【０１１７】
ＭＭＥ４００はＰＤＮ  ＧＷ（Ｂ）６００−Ｂのアドレス情報を受信すると、ＳＧＷ５００へ送信する（Ｓ４２）。
【０１１８】
ＳＧＷ５００は、受信したＰＤＮ  ＧＷ（Ｂ）６００−Ｂのアドレス情報をＳＧＷ対応テーブル５０４１に格納する（Ｓ４３）。
【０１１９】
図８（Ｂ）は、ＰＤＮ  ＧＷ（Ｂ）６００−Ｂのアドレス情報が格納された後のＳＧＷ対応テーブル５０４１の例を表している。図８（Ｂ）の例では、間違ってネットワーク（Ｃ）のＡＰＮが設定された回線番号「０８０−９９９９−９９９９」に対して、ＰＤＮ  ＧＷ（Ｂ）６００−Ｂのアドレス情報が記憶された例を表している。また、接続要求にＡＰＮ情報が含まれていない回線番号「０７０−９９９９−９９９９」に対して、ＰＤＮ  ＧＷ（Ｂ）６００−Ｂのアドレス情報が記憶された例を表している。なお、回線番号は、ＨＳＳ３００からＰＤＮ  ＧＷ（Ｂ）６００−Ｂのアドレス情報とともにＭＭＷ４００経由でＳＧＷ５００へ送信されてもよい。
【０１２０】
図６に戻り、ＭＭＥ４００は、ＰＤＮ  ＧＷ（Ｂ）６００−Ｂのアドレス情報をＳＧＷ５００へ送信すると（Ｓ４２）、Ｃ−ＰＬＮＡＥ接続要求（Ｓ１０）をアクセプトすることを決定し（Ｓ４４）、その旨を示す応答を端末１００へ送信する（Ｓ４５）。
【０１２１】
端末１００は、当該応答を受信すると、Ｃ−ＰＬＡＮＥ接続を完了し（Ｓ４６）、Ｕ−ＰＬＡＮＥ接続要求をＳＧＷ５００へ送信する（Ｓ４７）。
【０１２２】
ＳＧＷ５００は、Ｕ−ＰＬＡＮＥ接続要求を受信すると、端末１００のＵ−ＰＬＡＮＥをＰＤＮ  ＧＷ（Ｂ）６００−Ｂに接続させる（Ｓ４８）。
【０１２３】
例えば、以下のような処理が行われる。すなわち、ＳＧＷ５００は、Ｕ−ＰＬＡＮＥ接続要求（Ｓ４７）に含まれる回線番号に対応するＰＤＮ  ＧＷアドレス「Ｂ」をＳＧＷ対応テーブル５０４１から読み出す。そして、ＳＧＷ５００はＰＤＮ  ＧＷ（Ｂ）６００−Ｂとの間で回線接続（例えば回線ベアラ）を設定する。これにより、端末１００（又はＳＧＷ５００）からＰＤＮ  ＧＷ（Ｂ）６００−Ｂへの経路が設定される。
【０１２４】
なお、ＰＤＮ  ＧＷ（Ｂ）６００−ＢではＡＰＮ情報通知サーバ８００へのＵ−ＰＬＡＮＥの経路の設定は行われているものとする。経路設定の一例としては、例えば、宛先アドレスの書き換えなどがある。例えば、ＰＤＮ  ＧＷ（Ｂ）６００−Ｂは、ＰＤＮ  ＧＷ（Ｂ）６００−Ｂ宛の要求などに対しては、宛先のアドレス情報をＰＤＮ  ＧＷ（Ｂ）６００−ＢからＡＰＮ情報通知サーバ８００へ書き換えるなどの処理を行ってもよい。従って、ＳＧＷ５００によるＰＤＮ  ＧＷ（Ｂ）６００−ＢへのＵ−ＰＬＡＮＥの経路接続により、端末１００（又はＳＧＷ５００）からＰＤＮ  ＧＷ（Ｂ）６００−Ｂ、及びＰＤＮ  ＧＷ（Ｂ）６００−ＢからＡＰＮ情報通知サーバ８００へのＵ−ＰＬＡＮＥ経路が設定される。
【０１２５】
従って、ＨＳＳ３００が送信するＰＤＮ  ＧＷ（Ｂ）６００−Ｂのアドレス情報は、例えば、ＡＰＮ情報通知サーバ８００への接続情報となっている。
【０１２６】
次に、ＳＧＷ５００は接続したことを示す応答を端末１００へ向けて送信する（Ｓ５０）。
【０１２７】
端末１００は、当該応答を受信するとＵ−ＰＬＡＮＥの接続を完了し（Ｓ５１）、ブラウザを利用してＨＴＴＰアクセスを行う（Ｓ５２）。例えば、端末１００はユーザによるタッチセンサ１０８の操作を検出して、Ｗｅｂページへのアクセスを行う。
【０１２８】
次に、端末１００は、ＰＤＮ  ＧＷ（Ｂ）６００−Ｂを経由してＡＰＮ情報通知サーバ８００へ、アクセス要求を送信する（Ｓ５３）。
【０１２９】
ＡＰＮ情報通知サーバ８００は、アクセス要求を受信すると、ＡＰＮ設定アプリケーションのファイルデータ（又はプログラムデータ）のダウンロードを促すＨＴＭＬデータをＨＤＤ８０４から読み出す（Ｓ５４）。ＡＰＮ情報通知サーバ８００は、当該ＨＴＭＬデータを端末１００へ向けて送信する（Ｓ５５）。
【０１３０】
端末１００は、当該ＨＴＭＬデータを受信すると、ブラウザを利用して表示部１０９にＡＰＮ設定アプリケーションのファイルデータのダウンロードを促す画面を表示させる（Ｓ５６）。
【０１３１】
次に、ユーザによって当該ファイルデータのダウンロード操作が行われると、端末１００は当該操作を検知して、当該ファイルデータのダウンロード要求をＡＰＮ情報通知サーバ８００へ向けて送信する（Ｓ５８）。
【０１３２】
ＡＰＮ情報通知サーバ８００は、ダウンロード要求を受信すると、ＡＰＮ設定アプリケーションのインストール用ファイルデータをＨＤＤ８０４から読み出して（Ｓ６０）、当該インストール用ファイルデータを端末１００へ送信する（Ｓ６１）。当該インストール用ファイルデータには、有効なＰＡＮ情報として、例えば、ＰＤＮ  ＧＷ（Ａ）６００−ＡのＡＰＮ情報「Ｗｅｂ＃１」が含まれる。
【０１３３】
次に、端末１００は、当該インストール用ファイルデータを受信し（Ｓ６２）、当該インストール用ファイルデータをＲＡＭ１０７に記憶（又はインストール）し（Ｓ６３）、ＡＰＮ設定アプリケーションを実行する（Ｓ６４）。端末１００は、ＡＰＮ設定アプリケーションを実行することで、インストール用ファイルデータからＰＤＮ  ＧＷ（Ａ）６００−Ａの有効なＡＰＮ情報「Ｗｅｂ＃１」を読み出して、当該ＡＰＮ情報をＲＡＭ１０７に記憶する。これにより、例えば、有効なＡＰＮ情報が設定される（Ｓ６５）。
【０１３４】
以後、端末１００は、ＡＰＮ情報「Ｗｅｂ＃１」を用いてＣ−ＰＬＡＮＥ接続要求（Ｓ１０）を行うことで、ＨＳＳ３００では有効はＡＰＮ情報が含まれるとして（Ｓ２０でＹｅｓ）、接続要求がアクセプトされる（Ｓ２６，Ｓ２７）。以後に動作は、図５に示すフローに従い、端末１００はネットワーク（Ａ）７００−Ａを介してパケット通信を行うことができる。
【０１３５】
＜２．２  各装置の動作例＞
次に端末１００、ＨＳＳ３００、ＳＧＷ５００、ＡＰＮ情報通知サーバ８００の各装置における動作例について説明する。各装置における動作例の説明では、＜２．１  全体シーケンス例＞と重複した説明もあるため、簡単に説明する場合がある。
【０１３６】
＜２．２．１  端末の動作例＞
図９は端末１００の動作例を表すフローチャートである。図９に示すフローチャートは、例えば、端末１００のプロセッサ１０３において行われる。
【０１３７】
端末１００は、処理を開始すると（Ｓ１００）、正しいＡＰＮ設定がなされているか否かを判別する（Ｓ１０１）。ここで、正しいＡＰＮ設定がなされている場合とは、例えば、正しいＡＰＮが設定されていた場合である。また、正しいＡＰＮ設定がなされていない場合とは、例えば、ＡＰＮが設定されていなかったり、或いは正しいＡＰＮが設定されていなかった場合である。このような判別は、例えば、プロセッサ１０３がＲＡＭ１０７にＡＰＮ情報が記憶されているか否か、或いはＡＰＮ設定を行ったことを示すフラグ情報が記憶されているか否かにより行われてもよい。
【０１３８】
端末１００は、正しいＡＰＮ設定がなされているとき（Ｓ１０１でＹｅｓ）、Ｃ−ＰＬＡＮＥ接続要求を生成し、生成したＣ−ＰＬＡＮＥ接続要求をＭＭＥ４００へ向けて送信する（Ｓ１０２）。
【０１３９】
次に、端末１００は、Ｃ−ＰＬＡＮＥ接続要求がアクセプトされたか否かを判別する（Ｓ１０３）。例えば、端末１００はＣ−ＰＬＡＮＥ接続要求をアクセプトしたことを示す応答を受信したか（図５のＳ２７）、又はリジェクトしたことを示す応答を受信したか（図５のＳ１５）により判別してもよい。
【０１４０】
端末１００は、Ｃ−ＰＬＡＮＥ接続要求がアクセプトされないと判別したとき（Ｓ１０３）、Ｃ−ＰＬＡＮＥ接続要求の失敗（ＮＧ）を確認し（Ｓ１０４）、圏外表示となって一連の処理を終了する（Ｓ１０５，Ｓ１０６）。圏外表示は一例であって、端末１００は圏外表示なく、一連の処理を終了してもよい。例えば、端末１００がサービス提供事業者により契約された端末でない場合や、契約期間が経過した端末、或いは料金未納によりサービスの提供が停止された端末などの場合、Ｃ−ＰＬＡＮＥ接続要求はアクセプトされない場合がある（例えば図５のＳ１２でＮｏ〜Ｓ１５）。
【０１４１】
一方、端末１００は、Ｃ−ＰＬＡＮＥ接続要求がアクセプトされたとき（Ｓ１０３でＹＥＳ）、Ｃ−ＰＬＡＮＥ接続を完了させ（Ｓ１０７）、Ｕ−ＰＬＡＮＥ接続要求をＳＧＷ５００へ向けて送信する（Ｓ１０８）。
【０１４２】
次に、端末１００は、Ｕ−ＰＬＡＮＥ接続要求に対して、ネットワーク（Ａ）７００−Ａへの接続完了を示す応答（図５のＳ３１）を受信すると、Ｕ−ＰＬＡＮＥ接続を完了させる（Ｓ１１０）。そして  端末１００は、データ通信（又はパケット通信）可能な状態となり（Ｓ１１１）、一連の処理を終了する（Ｓ１１２）。
【０１４３】
一方、端末１００は、正しいＡＰＮ設定がなされていないとき（Ｓ１０１でＮｏ）、Ｃ−ＰＬＡＮＥ接続要求をＭＭＥ４００へ向けて送信し（Ｓ１１５）、Ｃ−ＰＬＡＮＥ接続要求がアクセプトされたか否かを判別する（Ｓ１１６）。
【０１４４】
端末１００は、Ｃ−ＰＬＡＮＥ接続要求がアクセプトされなかったとき（Ｓ１１６でＮｏ）、Ｓ１０４以降の処理を行う。この場合も、サービス提供事業者と契約していない端末や契約期間が経過した端末などの場合、Ｃ−ＰＬＡＮＥ接続要求はアクセプトされない場合がある。
【０１４５】
端末１００は、Ｃ−ＰＬＡＮＥ接続要求がアクセプトされたとき（Ｓ１１６でＹｅｓ）、Ｃ−ＰＬＡＮＥ接続を完了させ（図１０のＳ１１７）、Ｕ−ＰＬＡＮＥ接続要求を送信する（Ｓ１１８）。
【０１４６】
次に、端末１００は、Ｕ−ＰＬＡＮＥ接続要求に対するアクセプトを示す応答（図６のＳ４５）を受信すると、Ｕ−ＰＬＡＮＥの接続を完了させて（Ｓ１２０）、データ通信可能な状態となる（Ｓ１２１）。
【０１４７】
次に、端末１００は、ブラウザを利用してＨＴＴＰアクセスを行うべくアクセス要求を送信する（Ｓ１２２）。
【０１４８】
次に、端末１００はＳＩＭ情報要求を受信したか否かを判別する（Ｓ１２３）。このＳＩＭ情報要求は、第３の実施の形態において説明する。本第２の実施の形態では、端末１００はＳＩＭ情報要求を受信することなく（Ｓ１２３でＮｏ）、Ｓ１２５の処理へ移行する。
【０１４９】
端末１００は、Ｓ１２５において、ＡＰＮ設定アプリケーションのダウンロードを促すＨＴＭＬデータを受信し、当該データに基づいて、ＡＰＮ設定アプリケーションのダウンロードを促す表示画面を表示部１０９に表示する（Ｓ１２５）。
【０１５０】
次に、端末１００は、当該表示画面においてＡＰＮ設定アプリケーションのダウンロード操作が行われたか否かを判別する（Ｓ１２６）。例えば、当該表示画面においてＡＰＮ設定アプリケーションのダウンロードを行う操作をタッチセンサ１０８が検出してその旨をプロセッサ１０３へ通知し、プロセッサ１０３がこの通知を受け取ったか否かにより判別してもよい。
【０１５１】
端末１００は、ＡＰＮ設定アプリケーションのダウンロード操作が行われていないと判別したとき（Ｓ１２６でＮｏ）、当該ダウンロード操作が行われるまで待つ。
【０１５２】
一方、端末１００は、ＡＰＮ設定アプリケーションのダウンロード操作が行われたと判別したとき（Ｓ１２６でＹｅｓ）、ＡＰＮ設定アプリケーションのダウンロード要求を送信し、ＡＰＮ設定アプリケーションのインストール用ファイルデータをダウンロードする（Ｓ１２７）。
【０１５３】
次に、端末１００は、ＡＰＮ設定アプリケーションのインストール用ファイルデータをＲＡＭ１０７に格納し、ＡＰＮ設定アプリケーションのインストールを行う（Ｓ１２８）。
【０１５４】
次に、端末１００は、ＡＰＮ設定アプリケーションのインストール用ファイルデータに含まれるＡＰＮ設定アプリケーションプログラムを読み出して、当該プログラムを実行する（Ｓ１２９）。
【０１５５】
端末１００は、当該プログラムを実行することで、ＰＤＮ  ＧＷ（Ａ）６００−ＡのＡＰＮ情報が設定される（Ｓ１３１）。例えば、端末１００は、当該プログラムを実行することで、ダウンロードしたインストール用ファイルに含まれるＡＰＮ情報（例えば、ＰＤＮ  ＧＷ（Ａ）６００−ＡのＡＰＮ情報「Ｗｅｂ＃１」）が読み出され、読み出されたＡＰＮ情報がＲＡＭ１０７に記憶される。
【０１５６】
そして、端末１００は一連の処理を終了する（Ｓ１３２）。
【０１５７】
＜２．２．２  ＨＳＳの動作例＞
図１１はＨＳＳ３００の動作例を表すフローチャートである。図１１に示すフローチャートは、例えば、ＨＳＳ３００のプロセッサ３０５において行われる。
【０１５８】
ＨＳＳ３００は処理を開始すると（Ｓ１４０）、端末１００からＣ−ＰＬＡＮＥ接続要求（又は接続認証要求）とＡＰＮ情報とを受信する（Ｓ１４１）。ＡＰＮ情報はＣ−ＰＬＡＮＥ接続要求に含まれてもよいし、Ｃ−ＰＬＡＮＥ接続情報とともに送信されてもよい。
【０１５９】
次に、ＨＳＳ３００は、有効なＡＰＮ情報があるか否かを判別する（Ｓ１４２）。例えば、プロセッサ３０５は以下のようにして判別する。すなわち、プロセッサ３０５は、更新後のＰＤＮ  ＧＷ（Ａ）６００−ＡのＡＰＮ情報（例えば「Ｗｅｂ＃１」）が含まれていれば有効なＡＰＮ情報があると判別する。一方、プロセッサ３０５は、接続要求にＡＰＮ情報が含まれていない、或いは、有効ではないＡＰＮ情報が含まれているときは、有効なＡＰＮ情報がないと判別する。
【０１６０】
ＨＳＳ３００は、有効なＡＰＮ情報があるとき（Ｓ１４２でＹｅｓ）、当該ＡＰＮ情報（例えば「Ｗｅｂ＃１」）に対応するＰＤＮ  ＧＷ（Ａ）６００−Ａのアドレス情報（例えば「Ａ」）をＳＧＷ５００へ通知する（Ｓ１４３）。そして、ＨＳＳ３００は一連の処理を終了する。
【０１６１】
一方、ＨＳＳ３００は、有効なＡＰＮ情報がないとき（Ｓ１４２でＮｏ）、ＰＤＮ  ＧＷ（Ｂ）６００−Ｂのアドレス情報（例えば「Ｂ」）をＳＧＷ５００へ通知する（Ｓ１４５）。そして、ＨＳＳ３００は一連の処理を終了する（Ｓ１４４）。
【０１６２】
＜２．２．３  ＳＧＷの動作例＞
図１２と図１３はＳＧＷ５００の動作例を表す図である。図１２と図１３に示すフローチャートは、例えば、ＳＧＷ５００のプロセッサ５０５において行われる。図１２に示すフローチャートは、ＰＤＮ  ＧＷアドレス情報をＳＧＷ対応テーブル５０４１に格納する動作例を表している。また、図１３に示すフローチャートは、ＰＤＮ ＧＷアドレス情報をＳＧＷ対応テーブル５０４１に格納後、端末１００からのＵ−ＰＬＡＮＥ接続要求に基づいてＰＤＮ  ＧＷ（Ａ）６００−Ａ，（Ｂ）６００−Ｂへの経路を設定する動作例を表している。
【０１６３】
図１２に示すように、ＳＧＷ５００は、処理を開始すると（Ｓ１５０）、ＨＳＳ３００からＭＭＥ４００経由で端末１００の回線番号とＰＤＮ  ＧＷアドレス情報とを受信する。
【０１６４】
この場合のＰＤＮ  ＧＷアドレス情報としては、以下の２つの場合がある。
【０１６５】
すなわち、端末１００から送信されたＣ−ＰＬＡＮＥ接続要求に有効なＡＰＮ情報が含まれている場合、ＨＳＳ３００から受信したＰＤＮ  ＧＷアドレス情報「Ａ」の場合（図５のＳ２２，Ｓ２３、図１１のＳ１４３）である。
【０１６６】
もう一つは、端末１００から送信されたＣ−ＰＬＡＮＥ接続要求に有効なＡＰＮ情報が含まれていない場合、ＨＳＳ３００から受信したＰＤＮ  ＧＷアドレス情報「Ｂ」の場合（図６のＳ４１，Ｓ４２、図１１のＳ１４５）である。
【０１６７】
図１２に戻り、次に、ＳＧＷ５００は、受信した回線番号とＰＤＮ  ＧＷアドレス情報をＳＧＷ対応テーブル５０４１に格納する（Ｓ１５２）。例えば、図８（Ｂ）はこれらの情報を格納した後のＳＧＷ対応テーブル５０４１の例を表している。
【０１６８】
図１２に戻り、次に、ＳＧＷ５００は一連の処理を終了する（Ｓ１５３）。
【０１６９】
ＳＧＷ５００は、ＳＧＷ対応テーブル５０４１に回線番号とＰＤＮ  ＧＷアドレス情報を格納した後、処理を開始し（図１３のＳ１６０）、端末１００から基地局２００経由で送信されたＵ−ＰＬＡＮＥ接続要求を受信する（Ｓ１６１）。
【０１７０】
次に、ＳＧＷ５００は、ＳＧＷ対応テーブル５０４１を参照し（Ｓ１６２）、接続要求を行っている端末１００の回線番号がＳＧＷ対応テーブル５０４１に格納されているか否かを判別する（Ｓ１６３）。
【０１７１】
ＳＧＷ５００は、端末１００の回線番号がＳＧＷ対応テーブル５０４１に格納されていないとき（Ｓ１６３でＮｏ）、Ｓ１６２の処理へ移行して上述した処理を繰り返す。
【０１７２】
一方、ＳＧＷ５００は、端末１００の回線番号がＳＧＷ対応テーブル５０４１に格納されているとき（Ｓ１６３でＹｅｓ）、ＰＤＮ  ＧＷアドレス情報がＳＧＷ対応テーブル５０４１に格納されているか否かを判別する（Ｓ１６４）。
【０１７３】
ＳＧＷ５００は、端末１００の回線番号が格納されているものの、回線番号に対応するＰＤＮ  ＧＷアドレス情報がＳＧＷ対応テーブル５０４１に格納されていないとき（Ｓ１６４でＮｏ）、端末１００から送信されたＵ−ＰＬＡＮＥ接続要求をリジェクトする（Ｓ１６８）。例えば、契約期間経過や料金未納などにより、ＳＧＷ５００はリジェクトする場合がある。ＳＧＷ５００は、Ｕ−ＰＬＡＮＥ接続要求をリジェクトする旨の応答を生成し、当該Ｕ−ＰＬＡＮＥ接続要求を送信した端末１００へ向けて当該応答を送信する。
【０１７４】
一方、ＳＧＷ５００は、回線番号に対応するＰＤＮ  ＧＷアドレス情報がＳＧＷ対応テーブル５０４１に格納されているとき（Ｓ１６４でＹｅｓ）、端末１００から送信されたＵ−ＰＬＡＮＥ接続要求をアクセプトし、その旨を示す応答を端末１００へ送信する（Ｓ１６５）。
【０１７５】
次に、ＳＧＷ５００は、ＨＳＳ３００から指定されたＰＤＮ  ＧＷアドレス情報を持つＤＰＮ  ＧＷ（ＰＤＮ  ＧＷ（Ａ）６００−Ａ又はＰＤＮ  ＧＷ（Ｂ）６００−Ｂ）へ端末１００のＵ−ＰＬＡＮＥを接続する（Ｓ１６６）。
【０１７６】
そして、ＳＧＷ５００は一連の処理を終了する（Ｓ１６７）。
【０１７７】
＜２．２．４  ＡＰＮ情報通知サーバの動作例＞
図１４はＡＰＮ情報通知サーバ８００の動作例を表すフローチャートである。図１４に示すフローチャートは、処理を開始すると（Ｓ１７０）、端末１００からＨＴＴＰアクセスに関するアクセス要求を受信する（Ｓ１７１）。本アクセス要求は、例えば、図６のＳ５３に相当する。
【０１７８】
次に、ＡＰＮ情報通知サーバ８００は当該アクセス要求に応答して、ＡＰＮ設定アプリケーションのダウンロードを促す表示画面を表示させるＨＴＭＬデータを端末１００へ向けて送信する（Ｓ１７２）。
【０１７９】
次に、ＡＰＮ情報通知サーバ８００は、端末１００から送信されたＡＰＮ設定アプリケーションのダウンロードを要求するダウンロード要求を受信する（Ｓ１７３）。
【０１８０】
次に、ＡＰＮ情報通知サーバ８００は、当該ダウンロード要求に応答して、ＡＰＮ設定アプリケーションのインストール用ファイルデータを送信する（Ｓ１７４）。例えば、プロセッサ８０５は、ＨＤＤ８０４に記憶された当該インストール用ファイルデータを読み出して、端末１００へ送信する。
【０１８１】
そして、ＡＰＮ情報通知サーバ８００は一連の処理を終了する（Ｓ１７５）。
【０１８２】
以下、本第２の実施の形態における効果について説明する。例えば、端末１００を利用するユーザがＡＰＮ情報を設定できなかったり、或いは間違ったＡＰＮ情報を設定する場合もある。この場合、ＨＳＳ３００は、端末１００が接続すべきＰＤＮ  ＧＷのアドレスをＳＧＷ５００へ通知しない動作となり、その結果、端末１００のＵ−ＰＬＡＮＥ接続要求がＳＧＷ５００によりリジェクトされることになる。この場合、端末１００はネットワーク（Ａ）７００−Ａを介したパケット通知を行うことができない。
【０１８３】
しかし、本第２の実施の形態においては、接続要求にＡＰＮ情報が含まれていないときや有効ではないＡＰＮ情報が含まれているとき、ＨＳＳ３００は有効なＡＰＮ情報を端末１００へ送信するように制御するようにしている。制御の方法としては、例えば、ＨＳＳ３００はＰＤＮ  ＧＷ（Ｂ）６００−Ｂのアドレス情報をＳＧＷ５００へ送信するようにしている（図６のＳ４１）。
【０１８４】
これにより、ＳＧＷ５００において端末１００からＰＤＮ  ＧＷ（Ｂ）６００−Ｂへの接続経路が設定され、この経路により、ＡＰＮ情報通知サーバ８００は端末１００へ有効なＡＰＮ情報（例えば、「Ｗｅｂ＃１」）を送信する。
【０１８５】
ＨＳＳ３００はＭＭＥ４００を経由してＳＧＷ５００へＰＤＮ  ＧＷ（Ｂ）６００−Ｂのアドレス情報を送信することで、例えば、ＳＧＷ５００において、端末１００からＡＰＮ情報通知サーバ８００への接続経路が設定される。ＨＳＳ３００が主導で端末１００からＡＰＮ情報通知サーバ８００への接続経路の設定を行っている。
【０１８６】
よって、端末１００では、ＡＰＮ情報を設定しなかったり、間違ってＡＰＮ情報を設定したときでも、ＡＰＮ情報通知サーバ８００から有効なＡＰＮ情報を取得することができる。従って、端末１００は、有効なＡＰＮ情報を利用してサービス提供事業者が提供するネットワーク（Ａ）７００−Ａへアクセスし、ネットワーク（Ａ）７００−Ａを介してパケット通信を行うことができる。
【０１８７】
本第２の実施の形態における他の例について説明する。上述した例では、ＡＰＮ情報通知サーバ８００はネットワーク（Ｂ）７００−Ｂ内に配置される例を説明した。例えば、ＰＤＮ  ＧＷ（Ｂ）６００−Ｂに代えて、ＡＰＮ情報通知サーバ８００が配置されてもよい。この場合、ＡＰＮ情報通知サーバ８００はＳＧＷ５００に直接接続され、ＨＳＳ３００はＰＤＮ  ＧＷ（Ｂ）６００−Ｂのアドレス情報（図５のＳ４０〜Ｓ４１，図１１のＳ１４５）に代えて、ＡＰＮ情報通知サーバ８００のアドレス情報をＳＧＷ５００へ送信すればよい。ＳＧＷ５００はＵ−ＰＬＡＮＥ接続要求を受信すると、ＳＧＷ５００（又は端末１００）からＡＰＮ情報通知サーバ８００への接続経路を設定し、ＡＰＮ情報通知サーバ８００は端末１００へ有効なＡＰＮ情報を送信することが可能となる。
【０１８８】
［第３の実施の形態］
次に第３の実施の形態について説明する。第２の実施の形態では、例えば、サービス提供事業者が提供するパケット通信用のネットワークは、ネットワーク（Ａ）７００−Ａの１つの例について説明した。本第３の実施の形態では、サービス提供事業者が提供するパケット通信用のネットワークが複数ある場合の例について説明する。
【０１８９】
図１５は本第３の実施の形態における通信システム（又は、接続制御システム）１０の構成例を示す図である。通信システム１０は、更に、ＰＤＮ  ＧＷ（Ｃ）６００−Ｃ、ネットワーク（Ｃ）７００−Ｃ、及び３ＧＰＰ  ＡＡＡ（3rd Generation Partnership Project Authentication Authorization Accounting）サーバ装置（以下、「ＡＡＡサーバ」と称する場合がある）９００を備える。
【０１９０】
ネットワーク（Ａ）７００−Ａを提供するサービス提供事業者とネットワーク（Ｃ）７００−Ｃを提供するサービス提供事業者は異なっており、前者を「サービス提供事業者Ａ」、後者を「サービス提供事業者Ｂ」と称する場合がある。
【０１９１】
ＰＤＮ  ＧＷ（Ｃ）６００−Ｃは、コアネットワークと外部ネットワーク（ＰＤＮ）であるネットワーク（Ｃ）７００−Ｃとを接続するゲートウェイ装置である。ＰＤＮ  ＧＷ（Ｃ）６００−Ｃは、コアネットワークをネットワーク（Ａ）７００−Ａ又はネットワーク（Ｃ）７００へ接続するアクセス制御装置となっている。
【０１９２】
ＡＡＡサーバ９００は、例えば、端末１００を利用するユーザのネットワークアクセスに対する認証や認可、課金などを行う。ＡＡＡサーバ９００は、例えば、ユーザに関する契約情報を保持する。ＡＡＡサーバ９００は、例えば、認証装置でもある。
【０１９３】
図１６はＡＡＡサーバ９００の構成例を表す図である。ＡＡＡサーバ９００は、表示部９０１、入力部９０２、ＲＡＭ９０３、ＨＤＤ９０４、プロセッサ９０５、通信ＩＦ９０６を備える。
【０１９４】
表示部９０１と入力部９０２の機能は、例えば、ＨＳＳ３００の表示部３０１と入力部３０２と夫々同じである。
【０１９５】
プロセッサ９０５は、例えば、ＡＡＡサーバ９００を制御する処理部又は制御部である。プロセッサ９０５は、ＲＡＭ９０３に記憶されたプログラムを読み出して、読み出したプログラムを実行することで種々の処理や機能を実行する。例えば、プロセッサ９０５は、ＡＰＮ情報通知サーバ８００から送信された契約情報取得要求を受信し、対応する契約情報をＨＤＤ９０４から読み出して、当該契約情報をＡＰＮ情報通知サーバ８００へ向けて送信する。プロセッサ９０５で行われる処理又は機能の詳細は動作例において説明する。
【０１９６】
通信ＩＦ９０６は、プロセッサ９０５から出力されたデータや制御信号などを外部へ出力可能なフォーマットに変換し、変換後のデータや制御信号などをＨＳＳ３００やＰＤＮ  ＧＷ（Ｂ）６００−Ｂへ送信する。また、通信ＩＦ９０６は、ＨＳＳ３００やＰＤＮ  ＧＷ（Ｂ）６００−Ｂから送信された所定フォーマットの信号を受信し、受信した信号からデータや制御信号などを抽出し、抽出したデータなどをプロセッサ９０５へ出力する。
【０１９７】
図１７から図１９は本第３の実施の形態における全体シーケンス例を表している。図１７から図１９において、第２の実施の形態と同一の処理部分には同一の符号が割り振られている。また、ＡＡＡサーバ９００の処理や機能については、例えば、プロセッサ９０５において行われる。ＡＰＮ情報通知サーバ８００の処理や機能についても同様に、例えば、プロセッサ８０５において行われる。
【０１９８】
本第３の実施の形態では、有効なＡＰＮ情報が接続要求含まれているときにＨＳＳ３００が送信するＰＤＮ  ＧＷアドレス情報（図１７のＳ１８０〜Ｓ１８１）は、ＰＤＮ  ＧＷ（Ａ）６００−Ａ又はＰＤＮ  ＧＷ（Ｃ）６００−Ｃのアドレス情報である。
【０１９９】
図２０（Ａ）はＨＳＳ対応テーブル３０４１に例を表す図である。ＨＳＳ３００は、ＡＰＮ情報が「Ｗｅｂ＃１」のときはＰＤＮ  ＧＷ（Ａ）６００−Ａのアドレス情報「Ａ」、ＡＰＮ情報が「Ｗｅｂ＃２」のときはＰＤＮ  ＧＷ（Ｃ）６００−Ｃのアドレス情報「Ｃ」を送信する。ＨＳＳ３００は、有効ではないＡＰＮ情報を受信すると、第２の実施の形態と同様に、ＰＤＮ  ＧＷ（Ｂ）６００−Ｂのアドレス情報「Ｂ」を送信する。
【０２００】
図１７に戻り、ＳＧＷ５００は、ＰＤＮ  ＧＷアドレス情報（例えば「Ａ」又は「Ｃ」）を受信すると（Ｓ１８１）、ＳＧＷ対応テーブル５０４１に受信したＰＤＮ  ＧＷアドレス情報を格納する（Ｓ１８２）。
【０２０１】
図２０（Ｂ）は本第３の実施の形態におけるＳＧＷ対応テーブル５０４１の例を表す図である。この例では、回線番号「０９０−９９９９−９９９９」に対してはＰＤＮ  ＧＷアドレス情報として「Ａ」、「０８０−９９９９−９９９９」に対してはＰＤＮ  ＧＷアドレス情報として「Ｃ」が記憶されている。前者の例は、ネットワーク（Ａ）７００−Ａの有効なＡＰＮ情報が接続要求に含まれた例であり、後者の例は、ネットワーク（Ｃ）７００−Ｃの有効なＡＰＮ情報が接続要求に含まれた例である。
【０２０２】
また、回線番号「０７０−９９９９−９９９９」は、有効なＡＰＮが接続要求に含まれず、ＰＤＮ  ＧＷ（Ｂ）６００−Ｂのアドレス情報「Ｂ」が記憶された例となっている。ＳＧＷ５００は、ＭＭＥ４００を経由してＨＳＳ３００からＰＤＮ  ＧＷアドレス情報「Ｂ」を受信すると（図１８のＳ４２）、当該アドレス情報をＳＧＷ対応テーブル５０４１に格納するようになっている（Ｓ４３）。
【０２０３】
本第３の実施の形態では、ＡＰＮ情報通知サーバ８００は端末１００からのアクセス要求（図１８のＳ５３）を受信すると、ＳＩＭ情報を端末１００へ要求する（Ｓ１８６）。
【０２０４】
ＡＰＮ情報通知サーバ８００は、ＳＩＭ情報を端末１００から受信すると（Ｓ１８７）、受信したＳＩＭ情報をＰＤＮ  ＧＷ（Ｂ）６００−Ｂ経由でＡＡＡサーバ９００へ送信して、ＡＡＡサーバ９００から契約情報を取得する（図１９のＳ１８８）。
【０２０５】
図２０（Ｃ）はＡＡＡサーバ９００のＨＤＤ９０４に記憶されるＡＡＡ対応テーブル９０４１の例を表している。ＡＡＡ対応テーブル９０４１に記憶される情報は、例えば、ユーザがＳＩＭカード又は端末１００について契約する際に契約情報として記憶されるものである。ＡＡＡ対応テーブル９０４１には、ＳＩＭの回線番号と契約ネットワーク名の対応関係が記憶される。図２０（Ｃ）の例では、ＳＩＭ情報として回線番号の例を示しているが、例えば、ＳＩＭカード固有の識別番号でもよい。ＡＰＮ情報が正しく設定されなかった回線番号「０７０−９９９９−９９９９」については契約ネットワーク名として「ネットワーク（Ｃ）」が記憶されている。これは、回線番号「０７０−９９９９−９９９９」のユーザについては、ネットワーク（Ｃ）７００−Ｃを提供するサービス提供事業者と契約していることを表している。この場合、契約により、回線番号「０７０−９９９９−９９９９」を利用するユーザは、サービス提供事業者「Ａ」と契約してもよく、その場合の契約ネットワーク名は「ネットワーク（Ａ）」となる。ＡＡＡサーバ９００は、ＳＩＭ情報（図２０（Ｃ）の例では回線番号）を受信すると、ＳＩＭ情報に対応する契約ネットワーク名をＡＡＡ対応テーブル９０４１から読み出して、読み出した契約ネットワーク名を契約情報としてＡＰＮ情報通知サーバ８００へ送信する。
【０２０６】
図１９に戻り、ＡＰＮ情報通知サーバ８００は、ＡＰＮ対応テーブルに基づいて、契約に対して適切なＡＰＮ設定アプリケーションを選定する（Ｓ１９０）。
【０２０７】
図２０（Ｄ）はＡＰＮ対応テーブル８０４１の例を表している。ＡＰＮ対応テーブル８０４１は、例えば、ＨＤＤ８０４に記憶される。ＡＰＮ対応テーブル８０４１は、契約ネットワーク名とＡＰＮ設定アプリケーション名との対応関係が記憶されている。図２０（Ｄ）の例では、契約ネットワーク名「ネットワーク（Ａ）」に対応するＡＰＮ設定アプリケーション名として「アプリＡ」、「ネットワーク（Ｃ）」に対応するＡＰＮ設定アプリケーション名として「アプリＣ」が記憶される。ＡＰＮ情報通知サーバ８００は、ＡＡＡサーバ９００から取得した契約情報（図２０（Ｄ）の例では契約ネットワーク名）に基づいて、対応するＡＰＮ設定アプリケーション名を読み出す。読み出したＡＰＮ設定アプリケーション名が、「適切なＡＰＮ設定アプリケーション」となっている。
【０２０８】
図１９に戻り、次に、ＡＰＮ情報通知サーバ８００は、ＡＰＮ設定アプリケーションのダウンロードを促す画面を表示させるためのＨＴＭＬデータをＨＤＤ８０４から読み出して、端末１００へ送信する（Ｓ１９１，Ｓ５５）。この場合、契約ネットワーク名に応じて、「アプリ（Ａ）」のダウンロードを促す画面と、「アプリ（Ｃ）」のダウンロードを促す画面とを異なるようにさせてもよい。この場合、端末１００へ送信するＨＴＭＬデータも、契約ネットワーク名に対応して異なるＨＴＭＬデータであってもよい。
【０２０９】
ＡＰＮ情報通知サーバ８００は、端末１００からダウンロード要求を受信すると、選定したＡＰＮ設定アプリケーション（図２０（Ｄ）の例では「アプリＡ」又は「アプリＣ」）のインストール用ファイルデータを読み出して、端末１００へ送信する（Ｓ１９２，Ｓ６１）。
【０２１０】
端末１００は、インストール用ファイルデータに含まれるＡＰＮ設定プログラムを実行することで、当該ファイルデータに含まれるＡＰＮ情報が読み出され、ＲＡＭ１０７に記憶する（Ｓ１９３）。
【０２１１】
従って、ユーザがネットワーク（Ａ）７００−Ａを提供するサービス提供事業者「Ａ」と契約した場合、端末１００はネットワーク（Ａ）７００−Ａの有効なＡＰＮ情報（例えば、第１の接続先情報又は「Ｗｅｂ＃１」）を取得できる。また、ユーザがネットワーク（Ｃ）７００−Ｃを提供するサービス提供事業者「Ｂ」と契約した場合は、端末１００はネットワーク（Ｃ）７００−Ｃの有効なＡＰＮ情報（例えば、第２の接続先情報又は「Ｗｅｂ＃２」）を取得できる。これらのＡＰＮ情報が有効なＡＰＮ情報であり、端末１００はこのＡＰＮ情報を用いて接続要求をＨＳＳ３００へ送信することで、ＨＳＳ３００において接続先となるＰＤＮ  ＧＷ（Ａ）６００−Ａ，（Ｃ）６００−Ｃへのアクセスが誘導される。
【０２１２】
図１０は本第３の実施の形態における端末１００の動作例、図２１は本第３の実施の形態におけるＡＰＮ情報通知サーバ８００の動作例を夫々表すフローチャートである。
【０２１３】
端末１００は、ブラウザを利用してＨＴＴＰアクセスによるアクセス要求をＳＧＷ５００へ送信した後（Ｓ１２２）、端末１００はＳＩＭ情報要求が要求されたか否かを判別する（Ｓ１２３）。本処理は、例えば、図１８のＳ１８６に対応する処理である。
【０２１４】
端末１００は、ＳＩＭ情報要求を受信したとき、ＳＩＭ情報が要求されたと判別し（Ｓ１２３でＹｅｓ）、ＲＡＭ１０７に記憶されたＳＩＭ情報を読み出して、読み出したＳＩＭ情報を送信する（Ｓ１２４）。なお、ＳＩＭ情報は、例えば、ＳＩＭカードが端末１００に挿入された際、プロセッサ１０３によりＳＩＭカードのメモリに記憶されたＳＩＭ情報が読み出されて、ＲＡＭ１０７に記憶される。以降の処理は第２の実施の形態と同様である。
【０２１５】
図２１に示すように、ＡＰＮ情報通知サーバ８００は処理を開始すると（Ｓ２００）、端末１００から送信されたＨＴＴＰアクセスによるアクセス要求を受信する（Ｓ１７１）。本処理は、例えば、図１８のＳ５３に対応する。
【０２１６】
次に、ＡＰＮ情報通知サーバ８００は、端末１００に対してＳＩＭ情報を要求する（Ｓ２０１）。ＳＩＭ情報として、例えば、ＳＩＭカードに割り当てられた回線番号を要求してもよい。
【０２１７】
次に、ＡＰＮ情報通知サーバ８００は、端末１００からＳＩＭ情報を受信し（Ｓ２０２）、ＳＩＭ情報に基づいて契約情報をＡＡＡサーバ９００から取得する（Ｓ２０３）。
【０２１８】
次に、ＡＰＮ情報通知サーバ８００は、契約情報に対応するＡＰＮ設定アプリケーションを選定し（Ｓ２０４）、選定されたＡＰＮ設定アプリケーションのダウンロードを促すＨＴＭＬデータを端末１００へ送信する（Ｓ２０５）。
【０２１９】
次に、ＡＰＮ情報通知サーバ８００は、端末１００から送信されたダウンロード要求を受信し（Ｓ２０６）、ダウンロード要求に対応するＡＰＮ設定アプリケーションのインストール用ファイルデータを端末１００へ送信する（Ｓ２０７）。
【０２２０】
そして、ＡＰＮ情報通知サーバ８００は一連の処理を終了する（Ｓ２０８）。
【０２２１】
本第３の実施の形態においても、第２の実施の形態と同様に、接続要求にＡＰＮ情報が含まれていないときや有効ではないＡＰＮ情報が含まれているとき、ＨＳＳ３００は有効なＡＰＮ情報を端末１００へ送信するように制御するようにしている。制御の方法としては、例えば、ＨＳＳ３００はＰＤＮ  ＧＷ（Ｂ）６００−Ｂのアドレス情報をＳＧＷ５００へ送信することで、ＳＧＷ５００から（又は端末１００から）ＡＰＮ情報通知サーバ８００への接続経路が設定される（図１７のＳ４１）。これにより、ＡＰＮ情報通知サーバ８００は端末１００へ有効なＡＰＮ情報（例えば、「Ｗｅｂ＃１」）を送信することができる。
【０２２２】
従って、端末１００では、ＡＰＮ情報を設定しなかったり、間違ってＡＰＮ情報を設定した場合でも、有効なＡＰＮ情報を取得することができる。よて、端末１００は、当該ＡＰＮ情報を利用してサービス提供事業者が提供するネットワーク（Ａ）７００−Ａを介してパケット通信を行うことができる。
【０２２３】
この場合、ＨＳＳ３００において、ＰＤＮ  ＧＷ（Ｂ）６００−Ｂのアドレス情報をＳＧＷ５００に送信し、ＳＧＷ５００で経路の設定が行われる。そして、ＡＰＮ情報通知サーバ８００は、その経路を利用してＳＩＭ情報を取得して、対応するネットワーク（Ａ）７００−Ａ又はネットワーク（Ｃ）７００−Ｃ（又はＰＤＮ  ＧＷ（Ａ）６００−Ａ或いはＰＤＮ  ＧＷ（Ｃ）６００−Ｃ）ＡＰＮ情報を端末１００へ送信する。このことから、ＨＳＳ３００は、端末１００から受信したＳＩＭ情報に基づいて対応するＡＰＮ情報を端末１００へ送信するようにＳＧＷ５００やＡＰＮ情報通知サーバ８００を制御している。
【０２２４】
本第３の実施の形態においても、第２の実施の形態と同様に、ＰＤＮ  ＧＷ（Ｂ）６００−Ｂに代えてＡＰＮ情報通知サーバ８００としてもよい。この場合、ＨＳＳ３００は有効なＡＰＮ情報を受信しなかった場合、ＡＰＮ情報通知サーバ８００のアドレス情報をＳＧＷ５００へ送信する。
【０２２５】
［その他の実施の形態］
第２及び第３の実施の形態においては、ＨＳＳ３００が有効なＡＰＮ情報が含まれるか否かを判別し、有効なＡＰＮ情報が含まれていないとき、ＰＤＮ  ＧＷ（Ｂ）６００−Ｂのアドレス情報を送信するようにした（図６のＳ２０でＮｏ〜Ｓ４１，図１７のＳ２０でＮｏ〜Ｓ４１など）。例えば、このような判別とアドレス情報の送信は、基地局２００やＭＭＥ４００、ＳＧＷ５００、又はＡＡＡサーバ９００において行われてもよい。例えば、基地局２００の場合、ＨＳＳ３００から契約のある端末である旨の通知を受けると、端末１００からの接続要求（Ｓ１０）に基づいて判別を行い、ＰＤＮ  ＧＷ（Ｂ）６００−Ｂのアドレス情報をＳＧＷ５００へ通知すればよい。それ以降は第２及び第３の実施の形態と同様に実施できる。
【０２２６】
また、第２及び第３の実施の形態においては、ＡＰＮ情報通知サーバ８００が有効なＡＰＮ情報を端末１００へ通知する例について説明した（図７のＳ６１，図１９のＳ６１など）。例えば、このような有効なＡＰＮ情報を通知する機能が、例えば、基地局２００やＨＳＳ３００、ＭＭＥ４００、ＳＧＷ５００、又はＡＡＡサーバ９００にあってもよい。例えば、基地局２００において、端末１００からのダウンロード要求（図７のＳ５８）を受信すると、ＨＤＤ２０７に記憶されたインストール用ファイルデータを読み出して端末１００へ向けて送信する。この場合、ＳＧＷ５００は端末１００からのＵ−ＰＬＡＮＥ接続要求を受信すると、有効なＡＰＮ情報を送信するＡＰＮ情報通知サーバ８００との間でＵ−ＰＬＡＮＥを接続するよう設定すればよい。
【０２２７】
さらに、第２及び第３の実施の形態で説明したプロセッサ１０３，２０３，３０５，４０５，５０５，６０５，９０５については、ＣＰＵ（Central Processing Unit）やＤＳＰ（Digital Signal Processing）、ＦＰＧＡ（Field Programmable Gate Array）、その他のコントローラでもよい。
【０２２８】
以上まとめると付記のようになる。
【０２２９】
（付記１）
端末装置から送信された接続要求を受信し、受信した前記接続要求にネットワークへの接続先を指定したネットワーク接続先情報が含まれていないとき又は有効ではない前記ネットワーク接続先情報が含まれているとき、有効な前記ネットワーク接続先情報を前記端末装置へ送信するよう制御するプロセッサ
を備えることを特徴とする接続制御装置。
【０２３０】
（付記２）
前記プロセッサは、前記有効なネットワーク接続先情報を送信する情報通知装置への接続情報に基づいて、前記端末装置から前記情報通知装置への接続経路を設定することを特徴とする付記１記載の接続制御装置。
【０２３１】
（付記３）
前記プロセッサは、前記有効なネットワーク接続先情報を送信する情報通知装置への接続情報を、前記端末装置から送信されたアクセス要求を前記ネットワークへ転送する転送制御装置へ送信することを特徴とする付記１記載の接続制御装置。
【０２３２】
（付記４）
前記接続情報は、前記情報通知装置に接続されたゲートウェイ装置のアドレス情報であることを特徴とする付記３記載の接続制御装置。
【０２３３】
（付記５）
前記接続情報は、前記情報通知装置のアドレス情報であることを特徴とする付記３記載の接続制御装置。
【０２３４】
（付記６）
前記ネットワークは、通信回線網を保有し当該通信回線網を利用して通信サービスを提供する通信キャリア事業者、又は通信回線網を前記キャリア事業者から借りて通信サービスを提供するＭＶＮＯ（Mobile Virtual Network Operator）事業者によって提供されるネットワークであることを特徴とする付記１記載の接続制御装置。
【０２３５】
（付記７）
前記接続制御装置は、サービスの提供を受ける加入者の契約情報を管理する加入者情報管理装置であることを特徴とする付記１記載の接続制御装置。
【０２３６】
（付記８）
前記ネットワークは第１及び第２のネットワークを含み、
前記プロセッサは、前記端末装置から受信したＳＩＭ（Subscriber Identity Module）情報に基づいて、前記第１のネットワークへの前記有効なネットワーク接続先情報を表す第１のネットワーク接続先情報又は前記第２のネットワークへの前記有効なネットワーク接続先情報を表す第２のネットワーク接続先情報を前記端末装置へ送信するよう制御することを特徴とする付記１記載の接続制御装置。
【０２３７】
（付記９）
前記プロセッサは、前記端末装置がアクセス可能な第１又は第２のネットワーク名情報を保持する認証装置へ前記ＳＩＭ情報を送信し、前記ＳＩＭ情報に対応する前記第１又は第２のネットワーク名情報を前記認証装置から受信し、受信した前記第１又は第２のネットワーク名情報に夫々対応する前記第１又は第２の接続先情報を前記端末装置へ送信するよう制御することを特徴とする付記８記載の接続制御装置。
【０２３８】
（付記１０）
前記第１及び第２のネットワークは、通信回線網を保有し当該通信回線網を利用して通信サービスを提供する通信キャリア事業者、又は通信回線網を前記キャリア事業者から借りて通信サービスを提供するＭＶＮＯ（Mobile Virtual Network Operator）事業者ごとに提供されるネットワークであることを特徴とする付記８記載の接続制御装置。
【０２３９】
（付記１１）
前記ネットワーク接続先情報は、ＡＰＮ（Access Point Name）情報であることを特徴とする付記１記載の接続制御装置。
【０２４０】
（付記１２）
端末装置と、
接続制御装置と
を備えた接続制御システムにおいて、
前記接続制御装置は、
前記端末装置から送信された接続要求を受信し、受信した前記接続要求にネットワークへの接続先を指定したネットワーク接続先情報が含まれていないとき又は有効ではない前記ネットワーク接続先情報が含まれているとき、有効な前記ネットワーク接続先情報を前記端末装置へ送信するよう制御する第１のプロセッサを備え、
前記端末装置は、前記有効なネットワーク接続先情報を受信する第２のプロセッサを備えることを特徴とする接続制御システム。
【０２４１】
（付記１３）
更に、前記接続制御装置の制御により、前記端末装置へ前記有効なネットワーク接続先情報を送信する第２のプロセッサを備え情報通知装置を備えることを特徴とする付記１２記載の接続制御システム。
【０２４２】
（付記１４）
接続制御装置におけるコンピュータに実行させる接続制御プログラムであって、
端末装置から送信された接続要求を受信し、受信した前記接続要求にネットワークへの接続先を指定したネットワーク接続先情報が含まれていないとき又は有効ではない前記ネットワーク接続先情報が含まれているとき、有効な前記ネットワーク接続先情報を前記端末装置へ送信するよう制御する処理を
コンピュータに実行させる接続制御プログラム。
【０２４３】
（付記１５）
プロセッサを有する接続制御装置における接続制御方法であって、
前記プロセッサにより、プロセッサ端末装置から送信された接続要求を受信し、受信した前記接続要求にネットワークへの接続先を指定したネットワーク接続先情報が含まれていないとき又は有効ではない前記ネットワーク接続先情報が含まれているとき、有効な前記ネットワーク接続先情報を前記端末装置へ送信するよう制御する
ことを特徴とする接続制御方法。
【符号の説明】
【０２４４】
１０：通信システム                    １００：端末装置
１０３：プロセッサ                    １０５：メモリ
１０８：タッチセンサ                  １０９：表示部
２００：基地局装置                    ２０３：プロセッサ
２０６：ＲＡＭ                        ２０７：ＨＤＤ
３００：ＨＳＳ                        ３０３：ＲＡＭ
３０４：ＨＤＤ                        ３０５：プロセッサ
４００：ＭＭＥ                        ４０３：ＲＡＭ
４０４：ＨＤＤ                        ４０５：プロセッサ
５００：ＳＧＷ                        ５０３：ＲＡＭ
５０４：ＨＤＤ                        ５０５：プロセッサ
６００）（６００−Ａ〜６００−Ｃ）：ＰＤＮ  ＧＷ（ＰＤＮ  ＧＷ（Ａ）〜ＰＤＮ  ＧＷ（Ｃ））
６０３：ＲＡＭ                        ６０４：ＨＤＤ
６０５：プロセッサ                    ８００：ＡＰＮ情報通知サーバ装置
８０３：ＲＡＭ                        ８０４：ＨＤＤ
８０５：プロセッサ                    ９００：３ＧＰＰ  ＡＡＡサーバ装置
９０３：ＲＡＭ                        ９０４：ＨＤＤ
９０５：プロセッサ                    ３０４１：ＨＳＳ対応テーブル
５０４１：ＳＧＷ対応テーブル          ８０４１：ＡＰＮ対応テーブル
９０４１：ＡＡＡ対応テーブル
【図１】
2016189538.tif 000003
【図２】
2016189538.tif 000004
【図３】
2016189538.tif 000005
【図４】
2016189538.tif 000006
【図５】
2016189538.tif 000007
【図６】
2016189538.tif 000008
【図７】
2016189538.tif 000009
【図８】
2016189538.tif 000010
【図９】
2016189538.tif 000011
【図１０】
2016189538.tif 000012
【図１１】
2016189538.tif 000013
【図１２】
2016189538.tif 000014
【図１３】
2016189538.tif 000015
【図１４】
2016189538.tif 000016
【図１５】
2016189538.tif 000017
【図１６】
2016189538.tif 000018
【図１７】
2016189538.tif 000019
【図１８】
2016189538.tif 000020
【図１９】
2016189538.tif 000021
【図２０】
2016189538.tif 000022
【図２１】
2016189538.tif 000023